(57)【要約】【課題】従来よりも更に編成効率を向上させることができる横編機を提供する。【解決手段】針床２と、複数の編針１と、カムシステム１００と、編針１を選針するアクチュエーターカムＣ１〜Ｃ６を備える選針アクチュエーター３Ａ，３Ｂと、を備える横編機である。編針１は、選択用バット３１を有するセレクトジャック３０と、選針用バット４３を有るセレクタ４０と、を備える。セレクタ４０は、選針アクチュエーター３Ａ，３Ｂによる選針の結果、基底位置、中間位置、又は進出位置のいずれかに配置される構成となっている。この横編機は、中間位置にあるセレクタ４０を選針アクチュエーター３Ａ，３Ｂに選針させる選針調整機構３を備える。【選択図】図１
2020169432.tif 000002
【特許請求の範囲】
【請求項１】
少なくとも前後一対の針床と、
前記針床に備わる複数の針溝のそれぞれに配置される複数の編針と、
前記編針を前記針溝に沿った方向に進退させて前記編針に編成動作を行わせるカムシステムと、
前記編針を選針するアクチュエーターカムを備える選針アクチュエーターと、を備え、
前記編針は、
前記カムシステムの作用を受ける選択用バットを有し、前記編針に行わせる編成動作を異ならせるセレクトジャックと、
前記アクチュエーターカムの作用を受ける選針用バットを有し、前記針溝に沿った前記セレクトジャックの位置を変化させるセレクタと、を備え、
前記セレクトジャックは、前記選針アクチュエーターによる選針の結果、Ｂポジション、Ｈポジション、又はＡポジションのいずれかに配置される構成となっており、
前記セレクタは、前記Ｂポジションに対応する基底位置、前記Ｈポジションに対応する中間位置、又は前記Ａポジションに対応する進出位置のいずれかに配置される構成となっている横編機において、
前記中間位置にある前記セレクタを前記選針アクチュエーターに選針させる選針調整機構を備える横編機。
【請求項２】
前記選針調整機構は、前記選針アクチュエーターに設けられ、中間位置にある前記セレクタの前記選針用バットに作用する中間位置用カムを備える請求項１に記載の横編機。
【請求項３】
前記選針調整機構は、前記選針アクチュエーター全体を前記編針の進退方向に沿った方向に進退させる揺動装置を備える請求項１に記載の横編機。
【請求項４】
前記選針調整機構は、前記セレクタに設けられ、前記セレクタが前記中間位置にあるときに、前記選針アクチュエーターの作用を受ける中間位置用バットを備える請求項１に記載の横編機。
【発明の詳細な説明】
【技術分野】
【０００１】
本発明は、従来よりも編成効率に優れる横編機に関する。
【背景技術】
【０００２】
横編機は、少なくとも前後一対の針床と、各針床に並設される多数の針溝のそれぞれに配置される編針と、針床の長手方向に沿って往復運動するキャリッジとを備える（例えば、特許文献１など）。キャリッジにはカムシステムが搭載されており、このカムシステムにより編針を針溝に沿った方向に進退させて編針にニットなどの編成動作を行なわせる。
【０００３】
これらの編成動作は、カムシステムと共にキャリッジに備わる選針アクチュエーターにより編針の動作を制御することにより行われる。図８は、従来の横編機における針床２の針溝２ｇ内での編針１の配置状態を示す概略図である。図９は、従来の横編機におけるカムシステム１００の概略図である。図９には、カムシステム１００が左方向に移動したときに、編針に備わる一部のバットがカムシステム１００上に描く走行軌道を示す。
【０００４】
図８に示すように、編針１が配置される針溝２ｇは、針床２に並列される複数のニードルプレート２ｐの間に形成される。編針１は、ニードルプレート２ｐをその並列方向に貫通するワイヤ２ｗ及び鋼帯２ｂによって針溝２ｇから脱落し難くなっている。この例の編針１は、ニードル本体１０とニードルジャック２０とセレクトジャック３０とセレクタ４０とを備える。ニードル本体１０はその先端にフック１１を有する。ニードルジャック２０は、ニードル本体１０を針溝２ｇの延伸方向に進退させる部材で、二つの編成用バット２１，２２を有する。セレクトジャック３０は、ニードルジャック２０を進退させるか否かを制御する部材で、その先端に選択用バット３１を有する。セレクタ４０は、針溝２ｇの延伸方向におけるセレクトジャック３０のポジションを変化させる部材で、下げバット４１と上げバット４２と選針用バット４３と尾部４４とを有する。ここで、編針１の並列方向に並ぶ一方のセレクタ４０の選針用バット４３と他方のセレクタ４０の選針用バット４３は、編針１の長さ方向にずれて設けられている。本例の横編機における選針用バット４３の位置は、実線で示す位置、又は点線で示す５つの位置のいずれかとなる。
【０００５】
一方、カムシステム１００は、図９に示すように、カムプレート１０１から突出するように設けられている。図９では、二つのカムシステム１００が一枚のカムプレート１０１に設けられたダブルカムシステムが示されている。カムシステム１００はカムプレート１０１に直交する紙面手前側に突出しており、紙面上側（歯口側）に向って図８の編針１が歯口に向かって進出する。以降、カムシステム１００の紙面手前方向を突出方向、紙面上方向を歯口方向とする。
【０００６】
カムシステム１００は、編成カム８０と目移しカム８１を備える。編成カム８０は、ニードルレイジングカムや度山カムなどを含み、主にニット及びタックの際に編成用バット２２に作用する。目移しカム８１は、目移しの際に編成用バット２１に作用する。カムシステム１００は更に、セレクトジャック下げカム８２、上部セレクタガイドカム８３、下部セレクタガイドカム８４、固定プレッサ８５、タックプレッサ８６、ハーフプレッサ８７、セレクタレイジングカム８８、及び復帰カム８９などが設けられている。また、カムプレート１０１には、四つの選針アクチュエーター９１，９２，９３，９４が設けられている。選針アクチュエーター９１，９２，９３，９４にはそれぞれ、セレクタ４０の選針用バット４３に作用するアクチュエーターカムＣ１〜Ｃ６が設けられている。
【０００７】
図８の編針１は、図９の選針アクチュエーター９１，９２，９３，９４による二段階の選針を受けて、その選針の結果とカムシステム１００の状態に応じた編成動作を行う。編針１の選針は、選針アクチュエーター９１，９２，９３，９４により選針されたセレクタ４０により、針溝２ｇの延伸方向におけるセレクトジャック３０のポジションを変えることで行われる。セレクトジャック３０のポジションには、Ｂポジション、Ｂポジションよりも歯口方向にあるＨポジション、Ｈポジションよりも歯口方向にあるＡポジションの三つがある。図９では、各ポジションを四角で囲った『Ｂ』、『Ｈ』、及び『Ａ』で示す。一方、セレクタ４０は、セレクトジャック３０のＢポジションに対応する基底位置、Ｈポジションに対応する中間位置、又はＡポジションに対応する進出位置の三つのポジションを取り得る。図９では、便宜上、セレクタ４０の基底位置、中間位置、及び進出位置をそれぞれ、四角で囲った『Ｂ』、『Ｈ』、及び『Ａ』で示す。
【０００８】
図９を用いて、セレクトジャック３０とセレクタ４０のポジションの変化を説明する。ここでは、カムシステム１００が紙面左方向に移動し、カムプレート１０１の中央にある二つの選針アクチュエーター９２，９３で選針を行う例を説明する。図９には、選針に関わるバットのうち、セレクトジャック３０（図８）の選択用バット３１の軌跡と、セレクタ４０（図８）の下げバット４１、上げバット４２、及び選針用バット４３の軌跡を示す。図８に例示する選針用バット４３は、アクチュエーターカムＣ５に対応する選針用バット４３である。
【０００９】
まず、基底位置にあるセレクタ４０が選針アクチュエーター９２による１段階目の選針を受ける。選針用バット４３に選針アクチュエーター９２のアクチュエーターカムＣ５が作用すると、図８の尾部４４が針溝２ｇ側に回転し、上げバット４２は針溝２ｇ内に沈む。以降、上げバット４２には下部セレクタガイドカム８４が作用できなくなるので、セレクタ４０は基底位置に、セレクトジャック３０はＢポジションに維持される。Ｂポジションに維持された選択用バット３１は、その軌道上にある固定プレッサ８５によって針溝２ｇ内に沈み込まされる。そして、セレクトジャック３０の先端部がニードルジャック２０の中間部を湾曲させ、編成用バット２２を針溝２ｇ内に沈み込ませる。編成用バット２２には編成カム８０が作用できなくなるので、編成動作はミスとなる。図８の尾部４４は、選針アクチュエーター９４による選針を受ける前に、復帰カム８９によって図８に示す状態に復帰される。
【００１０】
選針用バット４３に選針アクチュエーター９２が作用しないと、上げバット４２は針溝２ｇから突出した状態に維持され、下部セレクタガイドカム８４の作用を受ける。下部セレクタガイドカム８４には二つの上げ部８４ａが設けられており、上げ部８４ａによってセレクタ４０は中間位置に上げられる。そして、セレクタ４０の先端部がセレクトジャック３０の選択用バット３１を押し上げ、選択用バット３１はＨポジションになる。二つ目の上げ部８４ａで上げられた選択用バット３１はＨポジションを維持するが、セレクタ４０は上部セレクタガイドカム８３の下げ部８３ａによって基底位置に下げられる。セレクタ４０を基底位置に下げることで、選針用バット４３が２つ目の選針アクチュエーター９３のアクチュエーターカムＣ５による選針を受けられる。
【００１１】
次にセレクタ４０は、選針アクチュエーター９３による２段階目の選針を受ける。選針用バット４３に選針アクチュエーター９３が作用すると、セレクタ４０は基底位置を維持する。セレクトジャック３０は、セレクタ４０に突き上げられないので、Ｈポジションを維持する。Ｈポジションの選針用バット４３の軌道には、ハーフプレッサ８７及びタックプレッサ８６が設けられている。
【００１２】
一方、選針用バット４３に選針アクチュエーター９３が作用しないと、上げバット４２は針溝２ｇから突出したままとなり、セレクタレイジングカム８８で突き上げられる。セレクタ４０は進出位置に上げられ、セレクタ４０に押し上げられたセレクトジャック３０はＡポジションに上げられる。セレクタ４０は、上部セレクタガイドカム８３の下げ部８３ｃによって直ぐに基底位置に下げられる。編成を行った後の選択用バット３１は、紙面右側のセレクトジャック下げカム８２によってＢポジションに下げられる。
【先行技術文献】
【特許文献】
【００１３】
【特許文献１】国際公開第２００７／０７４９４４号
【発明の概要】
【発明が解決しようとする課題】
【００１４】
近年では、横編機における更なる編成効率の向上が望まれており、既存の編針及びカムシステムの形状などを見直すことが検討されている。
【００１５】
本発明は、上記事情に鑑みてなされたものであり、その目的の一つは、従来よりも更に編成効率を向上させることができる横編機を提供することを目的とする。
【課題を解決するための手段】
【００１６】
本発明者は、上記課題を検討した結果、セレクタが１段階目の選針を経て中間位置に上がった後、一旦、基底位置に下がる点に着目した。このような構成では、セレクタが２段階目の選針を経て基底位置から進出位置に上がるとき、セレクタが基底位置から中間位置に移動するまでの間は、セレクタがセレクトジャックを全く突き上げない空走状態になっている。つまり、セレクタが空走する間、セレクタの移動が無駄になっている。そこで、発明者は、１段階目の選針を終えて中間位置に配置されたセレクタを基底位置に戻すことなく２段階目の選針を行うことに想到し、本発明の横編機を完成させた。
【００１７】
本発明の横編機は、
少なくとも前後一対の針床と、
前記針床に備わる複数の針溝のそれぞれに配置される複数の編針と、
前記編針を前記針溝に沿った方向に進退させて前記編針に編成動作を行わせるカムシステムと、
前記編針を選針するアクチュエーターカムを備える選針アクチュエーターと、を備え、
前記編針は、
前記カムシステムの作用を受ける選択用バットを有し、前記編針に行わせる編成動作を異ならせるセレクトジャックと、
前記アクチュエーターカムの作用を受ける選針用バットを有し、前記針溝に沿った前記セレクトジャックの位置を変化させるセレクタと、を備え、
前記セレクトジャックは、前記選針アクチュエーターによる選針の結果、Ｂポジション、Ｈポジション、又はＡポジションのいずれかに配置される構成となっており、
前記セレクタは、前記Ｂポジションに対応する基底位置、前記Ｈポジションに対応する中間位置、又は前記Ａポジションに対応する進出位置のいずれかに配置される構成となっている横編機において、
前記中間位置にある前記セレクタを前記選針アクチュエーターに選針させる選針調整機構を備える。
【００１８】
本発明の横編機の一形態として、
前記選針調整機構は、前記選針アクチュエーターに設けられ、中間位置にある前記セレクタの前記選針用バットに作用する中間位置用カムを備える形態が挙げられる。
【００１９】
本発明の横編機の一形態として、
前記選針調整機構は、前記選針アクチュエーター全体を前記編針の進退方向に沿った方向に進退させる揺動装置を備える形態が挙げられる。
【００２０】
本発明の横編機の一形態として、
前記選針調整機構は、前記セレクタに設けられ、前記セレクタが前記中間位置にあるときに、前記選針アクチュエーターの作用を受ける中間位置用バットを備える形態が挙げられる。
【発明の効果】
【００２１】
本発明の横編機のセレクトジャックでは、２段階目の選針にあたり、選針調整機構によって中間位置にあるセレクタの選針を行うことができる。そのため、２段階目の選針でセレクタが進出位置に移動するとき、セレクタが空走することが無くなる。また、セレクタを進出位置に移動させるセレクタレイジングカムを、従来の横編機よりも選針アクチュエーター側に配置でき、カムシステムの移動方向の長さも短くできる。その結果、キャリッジの往復ストロークを短くできるので、編成効率を向上させられる。また、カムシステムの移動方向の長さが短くなることで、キャリッジを小型化・軽量化できるので、編成速度を向上させられる。
【００２２】
選針調整機構として中間位置用カムを備える本発明の横編機は、簡単で精度良く中間位置にあるセレクタを選針できる。
【００２３】
選針調整機構として選針アクチュエーター全体を進退させる揺動装置を備える本発明の横編機では、選針アクチュエーターに備わるアクチュエーターカムを増やすことなく、中間位置にあるセレクタを選針できる。
【００２４】
選針調整装置としてセレクタに設けた中間位置用バットを備える本発明の横編機では、追加の機構を必要としない。そのため、横編機の生産性に優れる。
【図面の簡単な説明】
【００２５】
【図１】図１は、実施形態１の横編機に備わるダブルカムシステムの中央部分の一部を示す概略図である。
【図２】図１（Ａ）、（Ｂ）は、編成の要所におけるセレクタとアクチュエーターカムとの位置関係を示す概略図である。
【図３】図３は、実施形態１の横編機に備わるダブルカムシステムの端部部分の一部を示す概略図である。
【図４】図４は、実施形態２の横編機の揺動機構の構成を示す概略図である。
【図５】図５（Ａ）、（Ｂ）は、実施形態３に示す横編機におけるセレクタとアクチュエーターカムとの位置関係を示す概略図である。
【図６】実施形態４に示す横編機のダブルカムシステムの中央部分の一部を示す概略図である。
【図７】実施形態４に示す横編機のダブルカムシステムの端部部分の一部を示す概略図である。
【図８】従来の横編機における針床の針溝内での編針の配置状態を示す概略図である。
【図９】従来の横編機におけるカムシステムの概略図である。
【発明を実施するための形態】
【００２６】
以下、本発明の実施形態を図面に基づいて説明する。本発明の横編機は、編針の一部、及びカムシステムの一部が、従来の横編機と異なる。従来の横編機と同じ機能を有する構成には図８，９と同じ符号で示し、その詳しい説明を省略する。
【００２７】
＜実施形態１＞
本例の横編機では、１段階目の選針を経て中間位置に配置されたセレクタを、中間位置に配置された状態のまま２段階目の選針に供する。そのため、本例の横編機は、１段階目の選針後に中間位置に配置されたセレクタを２段階目の選針前に基底位置に下げないように構成されたカムシステムと、２段階目の選針時に中間位置にあるセレクタを選針アクチュエーターに選針させる選針調整機構とを備える。
【００２８】
まず、本例のカムシステム１００を図１，２に基づいて説明する。図１では、カムシステム１００のうち、選針に関わる箇所のみを示す。また、図１では、カムシステム１００が左方向に移動したときに、セレクトジャック３０（図２）が１段階目の選針でＨポジションに移動し、２段階目の選針でＡポジションに移動する例を説明する。その際のバット３１，４１，４２，４３の軌跡を二点鎖線で図１に示す。本例のカムシステム１００は、上部セレクタガイドカム９とセレクタレイジングカム８の構成が従来の横編機とは異なる。
【００２９】
本例の上部セレクタガイドカム９は、セレクタ４０を中間位置から基底位置に移動させる下げ部９ａが一つしかない点が、従来の構成（図９参照）と異なる。もちろん、本例の上部セレクタガイドカム９は、セレクタ４０を進出位置から基底位置に移動させる下げ部９ｃを備えている。本例の下げ部９ａは、キャリッジの進行方向において、下部セレクタガイドカム８４の二つの上げ部８４ａ，８４ａの間に配置されている。本例の上部セレクタガイドカム９は、下げ部９ａが一つしかない代わりに、中間位置にあるセレクタ４０の下げバット４１に作用しない平坦部９ｂを備える。そのため、紙面右側の上げ部８４ａによって２段階目の選針を行う前に中間位置に移動されたセレクタ４０は、基底位置に下げられることがない。
【００３０】
セレクタレイジングカム８は、従来の横編機よりも選針アクチュエーター３Ａ，３Ｂの側に寄っている。セレクタ４０（図２）の上げバット４２が、２段階目の選針時に中間位置にあるからである。本例では、キャリッジの往復方向におけるセレクタレイジングカム８の頂部（Ａポジションの高さの部分）と、アクチュエーターカムＣ１〜Ｃ７との近接位置の距離が約２ｍｍ程度である。これに対して、従来の横編機における上記近接位置の距離は約６．５ｍｍである。このように、本例の横編機では、編成カム８０（図９）をセレクトジャック下げカム８２の側に寄せることができるので、キャリッジの往復ストロークを短くできる。そのため、カムシステム１００の移動方向の長さを短くでき、キャリッジの往復ストロークを短くできる。また、キャリッジの移動方向の長さが短くなれば、キャリッジが軽量化され、キャリッジの移動速度が速くなる。これらの結果、編成時間が短縮され、編成効率が向上する。
【００３１】
次に、２段階目の選針時に中間位置にあるセレクタ４０を選針アクチュエーター３Ｂで選針させる選針調整機構３を説明する。本例の選針調整機構３は、選針アクチュエーター３Ａ，３Ｂに設けられ、中間位置にあるセレクタ４０の選針用バット４３に作用する中間位置用カム５を備える。本例では、後述するように、選針アクチュエーター３Ａ，３Ｂに備わるアクチュエーターカムＣ２〜Ｃ６が中間位置用カムを兼ねる構成を備える。アクチュエーターカムＣ７は中間位置用カム５としてのみ機能する。
【００３２】
図８，９を用いて説明したように、従来の横編機の選針アクチュエーター９１〜９４では、セレクタ４０の選針用バット４３の配置位置の数（図８の例では６つ）と同じ数のアクチュエーターカム（以下、Ａカム）Ｃ１〜Ｃ６が設けられている。これに対して、図１に示す本例の選針アクチュエーター３Ａ，３Ｂには、７つのＡカムＣ１〜Ｃ７が設けられている。つまり、選針アクチュエーター３Ａ，３Ｂは、選針用バット４３の配置位置の数よりも一つ多いＡカムＣ１〜Ｃ７を備える。
【００３３】
１段階目の選針を行う選針アクチュエーター３ＡにおけるＡカムＣ１〜Ｃ６は、中間位置にあるセレクタ４０の選針を行う。１段階目の選針ではＡカムＣ７は使用されない。２段階目の選針アクチュエーター３ＢにおけるＡカムＣ２〜Ｃ７は、中間位置にあるセレクタ４０の選針を行う。２段階目の選針ではＡカムＣ１は使用されない。つまり、１段階目の各ＡカムＣ１〜Ｃ６よりも歯口側に一つ分ずれた位置にある２段階目の各ＡカムＣ２〜Ｃ７が、中間位置にあるセレクタ４０を選針する中間位置用カム５として機能する。図１，２に示す位置にある選針用バット４３を例にすれば、選針アクチュエーター３ＡのＡカムＣ５で一段階目の選針が行われ、選針アクチュエーター３ＢのＡカムＣ６で二段階目の選針が行われる。
【００３４】
次に、図２を参照して、本例の選針調整機構３によるセレクタ４０の選針状態を説明する。図２の（Ａ）、（Ｂ）はそれぞれ、図１の大文字アルファベットＡ、Ｂで示す縦破線の位置に対応している。また、図２では、図示するセレクタ４０の選針に関与しないＡカムは二点鎖線で示す。
【００３５】
図２（Ａ）は、１段階目の選針を受ける前のセレクトジャック３０とセレクタ４０の状態が示されている。セレクトジャック３０はＢポジションにあり、セレクトジャック３０の選択用バット３１は、固定プレッサ８５によって針溝２ｇ内に沈み込まされている。一方、セレクタ４０は基底位置にあり、セレクタ４０の先端部４Ｆは、選択用バット３１を突き上げていない。
【００３６】
図２（Ａ）の状態からセレクタ４０が選針アクチュエーター３ＡのＡカムＣ５による選針を受ける。具体的には、ＡカムＣ５が選針用バット４３に作用しないことで、セレクタ４０が選針される。その結果、上げバット４２が上げ部８４ａ（図１）によって歯口側（紙面上側）に突き上げられ、セレクタ４０が中間位置に移動する。その際、セレクタ４０の先端部４Ｆがセレクトジャック３０を歯口側に突き上げる。その結果、図２（Ｂ）に示されるように、セレクタ４０は中間位置に、セレクトジャック３０はＨポジションに配置される。
【００３７】
図２（Ｂ）では、Ｈポジションのセレクトジャック３０の選択用バット３１は、針溝２ｇから浮上した状態にある。一方、セレクタ４０の選針用バット４３は、ＡカムＣ６（中間位置用カム５）で選針可能な位置に配置される。
【００３８】
図２（Ｂ）の状態からセレクタ４０が選針アクチュエーター３Ｂの中間位置用カム５による選針を受ける。具体的には、中間位置用カム５が選針用バット４３に作用しないことで、セレクタ４０が選針される。その結果、上げバット４２がセレクタレイジングカム８（図１）によって歯口側に突き上げられ、セレクタ４０が進出位置に移動する。その際、セレクタ４０の先端部４Ｆがセレクトジャック３０を歯口側に突き上げる。その結果、セレクタ４０は進出位置に、セレクトジャック３０はＡポジションに配置される。
【００３９】
図２（Ｂ）に示されるように、２段階目の選針前に、セレクタ４０が中間位置に維持されている。そのため、セレクタ４０が進出位置に移動する際、セレクタ４０は殆ど空走することなく、セレクトジャック３０を突き上げる。
【００４０】
次に、キャリッジの端にある選針アクチュエーター３Ｃにおける選針を図３に基づいて説明する。キャリッジの端では、紙面左方向にキャリッジが移動するときに選針アクチュエーター３Ｃで１段階目の選針が行われる。そして、キャリッジが反転して紙面右方向に移動するときに選針アクチュエーター３Ｃで２段階目の選針が行われる。１段階目の選針を終えてキャリッジが反転すると、セレクタは下げ部９ａで基底位置まで下げられ、上げ部８４ａで中間位置に上げられてから、２段階目の選針に供される。図３では、１段階目の選針におけるバット３１，４１，４２の移動の軌跡を二点鎖線で示す。
【００４１】
図３で示すキャリッジの端においても、選針アクチュエーター３Ｃに７つのＡカムＣ１〜Ｃ７が設けられている。この選針アクチュエーター３Ｃによっても、図２で説明した中間位置にあるセレクタ４０の選針を行うことができる。そのため、セレクタレイジングカム８よりも紙面右側にある構成を、従来の横編機よりもカムシステム１００の中央側（紙面左側）に寄せることができる。その結果、カムシステム１００の幅を従来よりも小さくできる。
【００４２】
但し、キャリッジの端では、紙面右側の上げ部８４ｃによって１段階目の選針を受けたセレクタ４０を一旦、進出位置に移動させている。進出位置にあるセレクタ４０は、ワイヤ２ｗ（図２）によって下支えされる。そのため、１段階目の選針が終了した状態で作業者がメンテナンスのためにキャリッジを止めてセレクタ４０に触っても、セレクタ４０が針溝２ｇに沈み込まない。従って、メンテナンス後にキャリッジの走行を再開させても、２段階目の選針に支障は生じない。
【００４３】
≪変形例１−１≫
実施形態１では、ＡカムＣ７が中間位置用カム５としてのみ働き、ＡカムＣ２〜Ｃ６は、通常のアクチュエーターカムと中間位置用カム５とを兼ねていた。これに対して、中間位置用カムとしてのみ働くアクチュエーターカムを、選針用バット４３の配置位置の数と同じ数だけ用意しても良い。つまり、各選針アクチュエーターのアクチュエーターカムの数を、選針用バット４３の配置位置の２倍とする。
【００４４】
＜実施形態２＞
実施形態２では、選針アクチュエーター３Ａ，３Ｂ自体を移動させ、中間位置にあるセレクタ４０を選針する横編機を図４に基づいて説明する。図４では、カムプレート１０１の一部と、選針アクチュエーター３Ａ，３Ｂと、選針アクチュエーター３Ａ（３Ｂ）全体を編針の進退方向に沿った方向に進退させる揺動装置６，７のみを図示する。選針アクチュエーター３Ａ，３Ｂと揺動装置６，７以外の構成は、実施形態１と同様であるため、その説明は省略する。
【００４５】
本例の選針アクチュエーター３Ａ（３Ｂ）は、従来の構成と同様に、６つのＡカムＣ１〜Ｃ６を備える。選針アクチュエーター３Ａ（３Ｂ）は、カムプレート１０１に対して編針の進退方向（紙面上下方向）にスライド自在に構成されている。また、選針アクチュエーター３Ａ（３Ｂ）には、後述する揺動装置６（７）の一部が係合する係合部６ｃ（７ｃ）が形成されている。本例の係合部６ｃ（７ｃ）は、選針アクチュエーター３Ａと選針アクチュエーター３Ｂとの中間位置に向って開口する凹部で構成されている。
【００４６】
揺動装置６（７）は、本例における選針調整機構３として機能する。本例の揺動装置６（７）は、駆動部６０（７０）と進退軸部６１（７１）とアーム部６２（７２）とを備える。駆動部６０（７０）は、カムプレート１０１における選針アクチュエーター３Ａと選針アクチュエーター３Ｂとの中間の位置に設けられている。この駆動部６０（７０）には、ソレノイドなどの駆動装置が内蔵されており、その駆動装置は、進退軸部６１（６２）を選針アクチュエーター３Ａ（３Ｂ）に向って進退させる。進退軸部６１（７１）の先端には概略Ｌ字型のアーム部６２（７２）が連結されている。また、アーム部６２（７２）の屈曲部分は、回転軸部６２Ａ（７２Ａ）でカムプレート１０１に固定され、アーム部６２（７２）の先端部６２Ｂ（７２Ｂ）は、選針アクチュエーター３Ａ（３Ｂ）の係合部６ｃ（７ｃ）に係合されている。選針アクチュエーター３Ａに繋がるアーム部６２の回転軸部６２Ａは、駆動部６０よりも歯口側に配置されている。一方、選針アクチュエーター３Ｂに繋がるアーム部７２の回転軸部７２Ａは、駆動部７０よりも歯口から離れる側に配置されている。
【００４７】
図４（Ａ）には、選針アクチュエーター３Ａ，３Ｂが、中間位置にあるセレクタ４０を選針可能な位置に配置された状態が示されている。このとき、揺動装置６の進退軸部６１は非進出状態にあり、揺動装置７の進退軸部７１は進出状態にある。
【００４８】
図４（Ａ）の状態から、選針アクチュエーター３Ａで１段階目の選針を、選針アクチュエーター３Ｂで２段階目の選針を行う場合、図４（Ｂ）に示すように、揺動装置７の進退軸部７１を非進出状態とする。その場合、回転軸部７２Ａを中心にアーム部７２が反時計回りに回転し、先端部７２Ｂが選針アクチュエーター３Ｂを歯口側にスライドさせる。その結果、選針アクチュエーター３Ｂで中間位置にあるセレクタの選針を行えるようになる。
【００４９】
一方、図４（Ａ）の状態から、選針アクチュエーター３Ｂで１段階目の選針を、選針アクチュエーター３Ａで２段階目の選針を行う場合、図４（Ｃ）に示すように、揺動装置６の進退軸部６１を進出状態とする。その場合、回転軸部６２Ａを中心にアーム部６２が時計回りに回転し、先端部６２Ｂが選針アクチュエーター３Ａを歯口側にスライドさせる。その結果、選針アクチュエーター３Ａで中間位置にあるセレクタの選針を行えるようになる。
【００５０】
以上説明した構成によっても、中間位置にあるセレクタを選針できるので、実施形態１と同様の効果を得ることができる。また、本例の構成では、アクチュエーターカムを増やす必要がないため、アクチュエーターカム同士が干渉するという問題が生じない。
【００５１】
＜実施形態３＞
実施形態３では、セレクタ４０に中間位置用バット４を設けた横編機を図５に基づいて説明する。図５（Ａ）は、選針アクチュエーター３Ａによる１段階目の選針を行う前のセレクトジャック３０とセレクタ４０の状態を示す。図５（Ｂ）は、選針アクチュエーター３Ｂによる２段階目の選針を行う前のセレクトジャック３０とセレクタ４０の状態を示す。選針アクチュエーター３Ａ，３Ｂとセレクタ４０以外の構成は、実施形態１と同様であるため、その説明は省略する。
【００５２】
本例の選針アクチュエーター３Ａ，３Ｂは、４つのＡカムＣ１〜Ｃ４を備える。ＡカムＣ１〜Ｃ４の数は、選針用バット４３の配置位置の数と一致している。つまり、図示していないが、本例の選針用バット４３の配置位置の数は４つである。
【００５３】
一方、本例のセレクタ４０は、選針用バット４３に加えて、セレクタ４０が中間位置にあるときに選針アクチュエーター３Ａ，３Ｂの作用を受ける中間位置用バット４を備える。この中間位置用バット４が、本例における選針調整機構３である。本例の中間位置用バット４は、選針用バット４３よりも歯口から離れる側にある。選針用バット４３の歯口方向（紙面上下方向）の中央から中間位置用バット４の歯口方向の中央までの距離は、セレクタ４０の基底位置と中間位置との間の距離に等しい。そのため、セレクタ４０が中間位置に配置されたときに、中間位置用バット４は、セレクタ４０が基底位置にあるときの選針用バット４３の位置に配置される。
【００５４】
図５（Ａ）に示すように、本例ではセレクタ４０の選針用バット４３とＡカムＣ１とを用いて選針を行う。具体的には、ＡカムＣ１が作用しないことで、セレクタ４０が選針される。セレクタ４０が選針され、中間位置に移動した状態を図５（Ｂ）に示す。
【００５５】
中間位置に移動したセレクタ４０の選針用バット４３は、全てのＡカムＣ１〜Ｃ４の作用を受けない位置に配置される。一方、中間位置用バット４は、選針アクチュエーター３ＢのＡカムＣ１の作用を受けることができる位置に配置される。そこで、中間位置用バット４とＡカムＣ１とを用いて選針を行う。
【００５６】
セレクタ４０には、選針用バット４３の他に中間位置用バット４を備える。中間位置用バット４は、セレクタ４０が中間位置にあるときに選針アクチュエーター３Ａの作用を受けるバットであって、本例における選針調整機構３である。
【００５７】
以上説明した構成によっても、中間位置にあるセレクタを選針できるので、実施形態１と同様の効果を得ることができる。また、本例の構成では、中間位置用バット４を備えるセレクタ４０を用いるだけで良く、追加の構成を必要としないため、横編機の生産性を向上させられる。
【００５８】
≪変形例３−１≫
中間位置用バット４は、選針用バット４３よりも歯口側に設けられていても良い。その場合、１段階目の選針を行うＡカムと、２段階目の選針を行うＡカムとが、歯口方向にずれる。例えば、１段階目の選針をＡカムＣ１と選針用バット４３とで行い、２段階目の選針をＡカムＣ３と中間位置用バット４とで行うことが挙げられる。
【００５９】
＜実施形態４＞
実施形態４では、上部セレクタガイドカム９と、下部セレクタガイドカム８４と、セレクトジャック下げカム８２の形状が実施形態１と異なる例を図６，７に基づいて説明する。カム９，８２，８４の機能は、実施形態１と同じである。
【００６０】
図６では、セレクタが１段階目の選針で中間位置に、２段階目の選針で進出位置に移動する場合のバット３１，４１，４２の軌跡のみを二点鎖線で示す。図６に示すように、本例の下部セレクタガイドカム８４には上げ部８４ａが一つだけ形成されている。一方、上部セレクタガイドカム９には、中間位置にあるセレクタを基底位置に戻すための下げ部が形成されておらず、上げ部８４ａに対応する部分は平坦部９ｂとなっている。平坦部９ｂは、下げバット４１に作用せず、中間位置にあるセレクタ４０を基底位置に下げない。
【００６１】
セレクトジャック下げカム８２は、その中間部が歯口方向（紙面上方向）に凹んだ凹部８２ｃを備えている。凹部８２ｃの両端部には、中間部から両端部に向うに従って突出方向（紙面手前方向）に高くなる傾斜面となっている。傾斜面を除く凹部８２ｃの幅は、ＢポジションからＨポジションに移動する選択用バット３１が上記傾斜面に引っ掛からないように、上げ部８４ａの形成範囲と同じか、もしくは若干広く、あるいは若干狭くなっている。そのため、Ｈポジションに配置された選択用バット３１が、Ｈポジションを維持したままセレクトジャック下げカム８２を通過できるようになっている。
【００６２】
図７では、セレクタが１段階目の選針で中間位置に移動する場合のバット３１，４１，４２の軌跡を二点鎖線で示す。図７のセレクトジャック下げカム８２にも凹部８２ｃが形成されている。
【００６３】
以上説明した構成においても、凹部８２ｃの紙面左側の部分は、右側に向うに従って低くなる傾斜面、凹部８２ｃの紙面右側の部分は平坦面となっている。図７では、セレクタは１段階目の選針で進出位置に移動されるが、キャリッジが反転して２段階目の選針を受ける前に、平坦部９ｂで中間位置に下げられる。選択用バット３１は、セレクトジャック下げカム８２でＨポジションに下げられ、凹部８２ｃに乗り上げてＨポジションを維持する。
【００６４】
本例の構成によっても、実施形態１と同様の効果が得られる。実施形態４のカムシステム１００に、実施形態２，３の選針調整機構３を適用することもできる。
【符号の説明】
【００６５】
１  編針
２  針床
２ｂ  鋼帯  ２ｇ  針溝  ２ｐ  ニードルプレート  ２ｗ  ワイヤ
３  選針調整機構
３Ａ，３Ｂ，３Ｃ  選針アクチュエーター
４  中間位置用バット  ４Ｆ  先端部
５  中間位置用カム
６，７  揺動装置
６ｃ，７ｃ  係合部
６０，７０  駆動部  ６１，７１  進退軸部  ６２，７２  アーム部
６２Ａ，７２Ａ  回転軸部  ６２Ｂ，７２Ｂ  先端部
８  セレクタレイジングカム
９  上部セレクタガイドカム
９ａ，９ｃ  下げ部  ９ｂ  平坦部
１０  ニードル本体  １１  フック
２０  ニードルジャック  ２１，２２  編成用バット
３０  セレクトジャック  ３１  選択用バット
４０  セレクタ
４１  下げバット  ４２  上げバット  ４３  選針用バット  ４４  尾部
１００  カムシステム  １０１  カムプレート
８０  編成カム
８１  目移しカム
８２  セレクトジャック下げカム  ８２ｃ  凹部
８３  上部セレクタガイドカム  ８３ａ，８３ｃ  下げ部
８４  下部セレクタガイドカム  ８４ａ，８４ｃ  上げ部
８５  固定プレッサ
８６  タックプレッサ
８７  ハーフプレッサ
８８  セレクタレイジングカム
８９  復帰カム
９１，９２，９３，９４  選針アクチュエーター
Ｃ１，Ｃ２，Ｃ３，Ｃ４，Ｃ５，Ｃ６，Ｃ７  アクチュエーターカム
【図１】
2020169432.tif 000003
【図２】
2020169432.tif 000004
【図３】
2020169432.tif 000005
【図４】
2020169432.tif 000006
【図５】
2020169432.tif 000007
【図６】
2020169432.tif 000008
【図７】
2020169432.tif 000009
【図８】
2020169432.tif 000010
【図９】
2020169432.tif 000011